(57)【要約】【課題】ジョブの実行の無用の停止を低減するとともに、ユーザが音声により動作を停止させることができない状況を起こりにくくする。【解決手段】種類が異なる複数のジョブの実行が可能な画像処理装置は、入力されたジョブの実行を制御する制御部と、音声検知手段により検知された音声に基づいて、予め定められた複数の対象音声のいずれかが発せられたことを検知する検知部と、を有し、制御部は、予めジョブの種類別に定められた設定期間のうちの実行中のジョブに対応する対象設定期間Ｔｔ１〜Ｔｔ４中に対象音声が発せられたことが検知された場合に、当該ジョブの実行を停止させる。【選択図】図９
2019083497.tif 000002
【特許請求の範囲】
【請求項１】
種類が異なる複数のジョブの実行が可能な画像処理装置であって、
入力されたジョブの実行を制御する制御部と、
音声検知手段により検知された音声に基づいて、予め定められた複数の対象音声のいずれかが発せられたことを検知する検知部と、を有し、
前記制御部は、予めジョブの種類別に定められた設定期間のうちの実行中のジョブに対応する対象設定期間中に前記対象音声が発せられたことが検知された場合に、当該ジョブの実行を停止させる、
ことを特徴とする画像処理装置。
【請求項２】
ジョブの種類別の前記設定期間を示すテーブルを記憶しており、
前記検知部は、ジョブの実行中にわたって前記対象音声の検知を行い、
前記制御部は、前記対象音声が検知されたときに、前記テーブルに基づいて前記ジョブの実行を停止させるか否かを決定する、
請求項１記載の画像処理装置。
【請求項３】
ジョブの種類別の前記設定期間を示すテーブルを記憶しており、
前記制御部は、前記テーブルに基づいて、前記対象設定期間にのみ前記対象音声の検知を行うよう前記検知部を制御し、前記対象音声が検知されたときに、前記ジョブの実行を停止させる、
請求項１記載の画像処理装置。
【請求項４】
前記テーブルにおいて、前記対象期間に対して前記対象音声が発せられたとの検知結果の得られやすさを示す複数の検知レベルのいずれかが定められており、
前記複数の検知レベルのそれぞれに対応する検知条件を示すサブテーブルを記憶しており、
前記検知部は、前記テーブルおよび前記サブテーブルにより特定されるそのときの前記検知条件に従って、前記対象音声を検知する、
請求項３記載の画像処理装置。
【請求項５】
前記検知条件は、発せられたことを検知するべき対象音声を指定する音声指定条件を少なくとも含んでおり、
前記複数の検知レベルのうち最上位の検知レベルには、前記複数の対象音声の全てが前記音声指定条件として対応づけられ、第２位以下の検知レベルには下位になるほど対応する対象音声の個数が少なくなるよう前記複数の対象音声の一部が前記音声指定条件として対応づけられている、
請求項４記載の画像処理装置。
【請求項６】
前記複数の対象音声が前記検知レベルの個数と同数のグループにクループ分けされ、かつ前記サブテーブルにおいて、前記複数の検知レベルのうち最上位の検知レベルには、前記音声指定条件として全ての前記グループが対応づけられ、第２位以下の検知レベルには下位になるほど対応するグループの個数が少なくなるよう１以上の前記グループが前記音声指定条件として対応づけられている、
請求項５記載の画像処理装置。
【請求項７】
前記対象音声が検知されて前記ジョブの実行が停止した後に当該ジョブの実行が取り消された場合に、当該対象音声が前記サブテーブルにおいて現在よりも上位の検知レベルに対応づけられるよう、前記対象音声のクループ分けを修正する学習記憶部を有する、
請求項６記載の画像処理装置。
【請求項８】
前記ジョブは、シートから画像を読み取る読取り処理、シートに画像を形成する印刷処理、および画像データを外部の装置へ送信する通信処理のうちの少なくとも２つを行うものであり、
前記制御部は、複数の前記ジョブを並行して実行しておりかつこれらのジョブのいずれかの前記対象設定期間において前記対象音声が検知された場合に、当該複数のジョブの実行を共に停止させる、
請求項１ないし７のいずれかに記載の画像処理装置。
【請求項９】
前記検知部または前記制御部は、前記対象音声が検知されたときに、当該対象音声を発したユーザを識別し、
前記制御部は、識別された前記ユーザが実行中の前記ジョブに対する停止権限をもつ場合にのみ、前記ジョブの実行を停止させる、
請求項１ないし８のいずれかに記載の画像処理装置。
【請求項１０】
前記制御部は、前記ジョブの実行を停止させてから当該ジョブの実行の取消または再開を指示する操作が行われることなく待機時間が経過したときに、当該ジョブの実行を再開させる、
請求項１ないし９のいずれかに記載の画像処理装置。
【請求項１１】
前記制御部は、前記ジョブの実行を停止させてから当該ジョブの実行の取消または再開を指示する操作が行われることなく待機時間が経過したときに、当該ジョブの実行を再開させ、
前記待機時間は、最下位の検知レベルのみに対応する前記対象音声が検知されて前記ジョブの実行が停止した場合には、第１の時間とされ、最上位の検知レベルのみに対応する前記対象音声が検知されて前記ジョブの実行が停止した場合には、前記第１の時間よりも短い第２の時間とされる、
請求項５ないし７のいずれかに記載の画像処理装置。
【請求項１２】
前記制御部は、実行を停止させたジョブ以外のジョブを設定する入力操作が行われている最中に前記待機時間が経過した場合には、当該入力操作が終了するのを待って前記ジョブの実行を再開させる、
請求項１０または１１記載の画像処理装置。
【請求項１３】
種類が異なる複数のジョブの実行が可能な画像処理装置の動作制御方法であって、
予めジョブの種類別に定められた設定期間のうちの実行中のジョブに対応する対象設定期間中に予め定められた複数の対象音声のいずれかが発せられたことを検知する検知処理を行い、前記対象設定期間中に前記対象音声が発せられたことが検知されたときに当該ジョブの実行を停止させる、
ことを特徴とする画像処理装置の動作制御方法。
【請求項１４】
前記検知処理は、前記対象設定期間にのみ前記対象音声を検知する処理であり、
前記複数のジョブのそれぞれに対応する前記設定期間に対して、前記対象音声が発せられたとの検知結果の得られやすさを示す複数の検知レベルのいずれかが予め定められ、かつ、当該複数の検知レベルのそれぞれに対応する検知条件が予め定められており、
前記検知処理において、前記対象設定期間の前記検知レベルに対応する前記検知条件に従って前記対象音声を検知する、
請求項１３記載の画像処理装置の動作制御方法。
【請求項１５】
前記検知条件は、発せられたことを検知するべき対象音声を指定する音声指定条件を少なくとも含んでおり、
前記複数の検知レベルのうち最上位の検知レベルには、前記複数の対象音声の全てが前記音声指定条件として対応づけられ、第２位以下の検知レベルには下位になるほど対応する対象音声の個数が少なくなるよう前記複数の対象音声の一部が前記音声指定条件として対応づけられている、
請求項１４記載の画像処理装置の動作制御方法。
【発明の詳細な説明】
【技術分野】
【０００１】
本発明は、画像処理装置およびその動作制御方法に関する。
【背景技術】
【０００２】
音声認識技術の進歩により、各種の機器において、ユーザが音声により指示を入力する音声操作が実用化されている。一般に、音声操作に際して、ユーザは、発声ボタン（マイクアイコン）を押し、または機器に呼びかける定型の言葉を発し、それにより機器が指示を待ち受ける状態になっ後に指示の言葉を発声する。
【０００３】
他方、コピー機・ファクシミリ機・ＭＦＰ（Multi-functional Peripheral ：多機能機または複合機）などの画像処理装置は、接触式の操作のための操作パネルを備えている。一般に、操作パネルには、スタートキーおよびストップキーなどのハードキーとともに、多様な操作を可能にするタッチパネルディスプレイが配置されている。接触式の操作は、特に設定するべき項目が多いジョブを実行させたい場合のように複雑な操作を行う場合において、音声操作よりも効率がよい。
【０００４】
ところで、ユーザが画像処理装置に所望のジョブを入力して画像処理装置がジョブを実行している最中に、ユーザがそのジョブの設定の誤りに気づいて画像処理装置の動作を停止させたいと思う、という状況が起こり得る。この場合に、とっさに操作パネルのストップキーを押すことができればよいが、ストップキーを押すまでに時間がかかると、その間にジョブの処理はどんどん進行してしまう。結果的に、無駄な印刷が行われてしまったり、誤った宛先へ画像データが送信されてしまったりする。
【０００５】
ジョブの実行を速やかに停止するための先行技術として、特許文献１、２に記載の技術がある。
【０００６】
特許文献１には、ユーザによる操作の発話音声が認識された場合に、動作状態を停止状態に変更する画像形成装置が開示されている。
【０００７】
特許文献２には、処理が開始されてから予め定められた期間内に予め定められた音声を検知した場合に、当該処理を中断するコピー機が開示されている。
【先行技術文献】
【特許文献】
【０００８】
【特許文献１】特開２０１０−１３６３３５号公報
【特許文献２】特開２０１７−３２８４４号公報
【発明の概要】
【発明が解決しようとする課題】
【０００９】
上に述べた特許文献１の技術は、ジョブの実行中は常に音声による停止の指示を受け付けるものである。このため、音声を誤認識するおそれが大きい、つまり誤って動作を停止してしまう状況が起こりやすい、という問題があった。ユーザの意図しない無用の停止により、ジョブの完了が遅れて画像形成の生産性が低下する。
【００１０】
特許文献２の技術では、処理の開始から時間が経過するに従って処理を中断する意味が薄れることが多いとの知見に基づいて、音声による中断の指示を受け付ける時期を処理の開始からの予め定められた経過時間内に制限する。これにより、声の誤認識による不用意な中断を抑えることができる。
【００１１】
しかし、ユーザがジョブを設定した操作の誤りに気づくタイミングは、次のようにジョブの種類によって異なる。
【００１２】
例えば、複数枚の原稿から画像を読み取って用紙に印刷するコピージョブには、各原稿の画像を読取り順に複数枚ずつ印刷するグループコピーと、各原稿の画像を読取り順に１枚ずつ印刷する動作を繰り返して複数部の複製を作成するソートコピーとがある。
【００１３】
操作の誤りの一例として、コピー枚数が所望数よりも多い場合（前のジョブの設定が残っていた場合など）を想定すると、誤りに気づくタイミングについて、次のことが考えられる。
【００１４】
グループコピーの場合には、画像の読取りが終わって印刷が始まってから２枚目の原稿の画像の印刷が始まるまでの間に気づくことが多い。
【００１５】
これに対して、ソートコピーの場合には、所望の部数の印刷が終わった後に以降の部の印刷が始まったときに気づくことが多い。
【００１６】
このようにユーザがジョブを設定する操作の誤りに気づくタイミングは、ジョブの種類によって異なり、しかも種類が同じであっても原稿の枚数およびコピー枚数などといったジョブの条件によって早いタイミングであったり遅いタイミングであったりする。
【００１７】
したがって、ジョブの開始から一定の時間が経過した段階で音声による指示の受け付けをやめてしまっては、ユーザが誤りに気づいても音声により動作を停止させることができない状況が起こるおそれがでてくる。
【００１８】
本発明は、このような問題に鑑みてなされたもので、ジョブの実行の無用の停止を低減するとともに、ユーザが音声により動作を停止させることができない状況を起こりにくくすることを目的とする。
【課題を解決するための手段】
【００１９】
本発明の実施形態に係る画像処理装置は、種類が異なる複数のジョブの実行が可能な画像処理装置であって、入力されたジョブの実行を制御する制御部と、音声検知手段により検知された音声に基づいて、予め定められた複数の対象音声のいずれかが発せられたことを検知する検知部と、を有し、前記制御部は、予めジョブの種類別に定められた設定期間のうちの実行中のジョブに対応する対象設定期間中に前記対象音声が発せられたことが検知された場合に、当該ジョブの実行を停止させる。
【発明の効果】
【００２０】
本発明によると、ジョブの実行の無用の停止を低減するとともに、ユーザが音声により動作を停止させることができない状況を起こりにくくすることができる。
【図面の簡単な説明】
【００２１】
【図１】本発明の一実施形態に係る画像処理装置の概略の構成を示す図である。
【図２】画像処理装置のハードウェア構成を示す図である。
【図３】音声操作機能に関わる要部の機能的構成の第１例を示す図である。
【図４】ジョブ制御部における停止制御の処理の流れを示す図である。
【図５】音声検知部における処理の流れを示す図である。
【図６】期間テーブルのデータの例を示す図である。
【図７】条件テーブルのデータの例を示す図である。
【図８】ワードテーブルのデータおよびその更新の例を示す図である。
【図９】ソートコピーにおける対象設定期間を示す図である。
【図１０】マルチ動作において対象音声の検知がジョブの実行の停止に反映される対象停止期間を示す図である。
【図１１】音声操作機能に関わる要部の機能的構成の第２例を示す図である。
【図１２】ジョブ制御部における停止制御の処理の流れを示す図である。
【図１３】音声検知部における処理の流れを示す図である。
【図１４】期間テーブルのデータの例を示す図である。
【図１５】画像処理装置における処理の流れを示す図である。
【図１６】学習記憶処理の流れを示す図である。
【図１７】再開処理の流れを示す図である。
【図１８】ソートコピーにおける画像処理装置の処理の流れを示す図である。
【発明を実施するための形態】
【００２２】
図１には本発明の一実施形態に係る画像処理装置１の外観の例が、図２には画像処理装置１のハードウェア構成が、それぞれ示されている。
【００２３】
画像処理装置１は、コピー機、イメージリーダ、ファクシミリ機などの機能を集約したＭＦＰ（Multi-functional Peripheral ：多機能機または複合機）である。すなわち、画像処理装置１は、コピー、スキャン、およびファクスといった種類の異なる複数のジョブの実行が可能である。そして、コピーにおける印刷動作中に他のコピーの原稿読取り動作を行うなど、複数のジョブを並行して実行するマルチ動作が可能に構成されている。
【００２４】
図１に示すように、画像形成装置１は、操作パネル１１、自動原稿送り装置（ＡＤＦ：Auto Document Feeder）１２、フラットベッド型のスキャナ１３、プリンタ部１４、給紙部１５、およびマイクロフォン２２を備えている。さらに、図２に示すように、主制御部１０、ファクシミリインタフェース１６、ネットワークインタフェース１７、補助記憶装置１８、画像処理部１９、制御データベース２０、および音声認識部２１などを備えている。
【００２５】
操作パネル１１は、ユーザによる操作のための画面を表示するタッチパネルディスプレイ１１Ａと、スタートキー４１およびストップキー４２などのハードキーが配置されたキー入力部１１Ｂとを有し、入力操作に応じた信号を出力する。この信号に応じて、主制御部１０により、画像処理装置１の動作が制御される。
【００２６】
自動原稿送り装置１２は、原稿トレイ１２Ａにセットされたシート状の原稿５をスキャナ１３の流し読取り位置へ搬送する。さらに搬送を続けて原稿トレイ１２Ａの下方の排紙トレイ１２Ｂへ原稿５を排出する。原稿５が複数枚である場合は、原稿トレイ１２Ａから１枚ずつ次々に取り出して搬送する。自動原稿送り装置１２は、スキャナ１３のプラテンガラスを覆うカバーとして開閉可能に設けられている。
【００２７】
スキャナ１３は、自動原稿送り装置１２から搬送されてきた原稿５またはプラテンガラスの上にユーザによりセットされた原稿の画像を読み取って画像データを生成する。モノクロ（グレースケール）およびフルカラーの読取りが可能である。
【００２８】
プリンタ部１４は、コピージョブにおいてスキャナ１３によって読み取られた画像を給紙部１５から供給されたシート（記録用紙）の片面または両面に印刷する。外部のホストから入力されまたは内部のボックスから読み出されたドキュメントおよびファクシミリ通信で受信した画像などの印刷にも用いられる。印刷の方式は、例えば電子写真式でり、モノクロおよびフルカラーの印刷が可能である。インクジェット式または他の方式でもよい。
【００２９】
給紙部１５は、多数枚のシートの収納が可能な複数の給紙トレイを備え、選択された給紙トレイからシートを取り出してプリンタ部１４に供給する。
【００３０】
マイクロフォン２２は、例えばスキャナ１２のハウジングの前面部に配置され、画像処理装置１の周辺の音声を電気信号に変換して出力する。マイクロフォン２２は、音声を検知する音声検知手段の一例である。
【００３１】
主制御部１０は、画像処理装置１の全体的な制御を受け持つ。主制御部１０は、ＣＰＵ１０ａ、ＲＡＭ１０ｂ、ＲＯＭ１０ｃ、および不揮発性メモリ１０ｄを備える。
【００３２】
ＲＯＭ１０ｃまたは不揮発性メモリ１０ｄには、画像処理装置１をコピー機、ファクシミリ機、およびイメージリーダなどとして動作させるために、自動原稿送り装置１２、スキャナ１３、およびプリンタ部１４などを制御するプログラムが記憶されている。さらに、後に述べる特定の音声が発せられたことを検知したときにジョブの実行を停止する制御を実現するための音声操作プログラムが記憶されている。これらのプログラムは、必要に応じてＲＡＭ１０ｂにロードされ、ＣＰＵ１０ａによって実行される。
【００３３】
ファクシミリインタフェース１６は、外部のファクシミリ端末との間でＧ３などのプロトコルを用いて画像データをやりとりするためのインタフェースである。通信回線として電話回線、およびインターネットなどが用いられる。
【００３４】
ネットワークインターフェース１７は、パーソナルコンピュータおよびスマートフォンといった外部の情報処理装置との間で通信回線を介して通信するためのインタフェースである。通信回線として、ローカルエリアネットワーク回線（ＬＡＮ回線）、およびインターネットなどが用いられる。
【００３５】
補助記憶装置１８は、主制御部１０から送られてくる画像データ、外部の装置から転送されてきたドキュメントのデータなどを記憶する。補助記憶装置１８として、ＨＤＤ（Hard Disk Drive ）またはＳＳＤ（Solid State Drive ）などが用いられる。
【００３６】
画像処理部１９は、スキャナ１３から送られてきた画像データにシェーディング補正や色収差補正といった読取り光学系の特性に関わる処理を施す。さらに、データの形式の変換、およびＣＰＵ１０ａと補助記憶装置１８との間で画像データをやりとりする際の画像データの圧縮／伸張などを行う。
【００３７】
制御データベース２０は、ＣＰＵ１０ａなどが参照する各種データを容易に変更可能な形で格納した記憶手段である。制御データベース２０を例えば補助記憶装置１８または不揮発性メモリ１０ｄに設けてもよい。制御データベース２０に格納される情報には、画像処理装置１のユーザ登録に関する情報のほか、ユーザ（個人またはグループ）にデータ保存領域として割り当てられるボックスに関する情報など、随時に更新する必要な情報が含まれる。
【００３８】
音声認識部２１は、マイクロフォン２２から入力された音声信号に含まれる人の発した言葉をテキスト化する音声認識エンジンである。発声が困難なユーザのために、ブザー、鈴、ハンドクラップなどの声以外の特定の音声を言葉とみなしてテキスト化することができる。
【００３９】
音声の認識には、音声信号から音素を切り出して音響モデルと比較する公知の音響分析手法を用いることができる。また、音声の認識に際して、例えば音声信号をフーリエ変換する手法により、音声のトーン（人が知覚する音の高低）を判別することができる。
【００４０】
さて、画像処理装置１は、ジョブの実行中において所定の対象音声が発せられたときに、対象音声が発せられたことを検知してジョブの実行を停止する「音声操作機能」を有している。以下、この音声操作機能を中心に画像処理装置１の構成および動作を説明する。
【００４１】
図３には音声操作機能に関わる要部の機能的構成の第１例が、図４にはジョブ制御部における停止制御の処理の流れが、図５には音声検知部における処理の流れが、それぞれ示されている。
【００４２】
図３において、画像処理装置１は、ジョブ制御部５０、音声検知部６０、期間テーブル８０、条件テーブル８２、およびワードテーブル８４を有する。ジョブ制御部５０および音声検知部６０の機能は、主制御部１０のハードウェアおよびＣＰＵ１０ａが画像処理プログラムを実行することによって実現される。
【００４３】
期間テーブル８０は、予めジョブの種類別に定められた設定期間を示し、条件テーブル８２は、対象音声が発せられたとの検知結果の得られやすさを決める複数の検知条件を示す。ワードテーブル８４は、予め定められた複数の対象音声を示す。条件テーブル８２は、サブテーブルの例である。
【００４４】
ジョブ制御部５０は、ユーザにより画像処理装置１に入力されたジョブの実行を制御する。すなわち、ジョブ制御部５０は、実行するジョブに応じて動作部７０に動作指令を与える。また、動作部７０からの通知によりジョブの進行状況を把握し、ジョブの進行に合わせて指令先および指令の内容を適宜変更する。動作部７０とは、ジョブの実行に関わるハードウェアおよびソフトウェアの総称であり、自動原稿送り装置１２、スキャナ１３、およびプリンタ部１４などを含む。
【００４５】
加えて、ジョブ制御部５０は、音声検知部６０と連携して音声操作機能を実現する。詳しくは、ジョブ制御部５０は、予めジョブの種類別に定められた設定期間のうちの実行中のジョブに対応する対象設定期間中に対象音声が発せられたことが音声検知部６０により検知された場合に、動作部７０に停止指令を与えてジョブの実行を停止させる。音声検知部６０との連携について後にさらに詳しく述べる。
【００４６】
音声検知部６０は、マイクロフォン２２により検知された音声に基づいて、予め定められた複数の対象音声のいずれかが発せられたことを検知する。音声検知部６０は、音声認識部２１と照合部２３とを有している。なお、「対象音声が発せられたことの検知」を、「対象音声の検知」と記載することがある。
【００４７】
音声認識部２１は、上に述べた通り、マイクロフォン２２から入力された音声を認識してテキスト化する。
【００４８】
照合部２３は、音声認識部２１により認識された音声のテキストとワードテーブル８４にテキストの形で登録されている複数の対象音声とを照合する。そして、認識された音声が複数の対象音声のいずれかと一致する場合に、対象音声を検知した旨の検知結果をジョブ制御部５０に通知する。この場合にジョブの実行が停止される。
【００４９】
図３の例の構成では、音声検知部６０は、ジョブ制御部５０から検知指令に従って対象音声が発せられたことの検知（音声検知）を行う。つまり、音声検知部６０が音声検知を行うか否かをジョブ制御部５０が制御する。詳しくは次の通りである。
【００５０】
図４を参照して、ジョブ制御部５０は、ジョブの実行に先立って期間テーブル８０を参照し、種類別の設定期間のうちの実行の対象である当該ジョブの種類に対して定められている設定期間である対象設定期間を把握する（＃５０１）。つまり、ジョブの進行における如何なるタイミングで音声検知を開始させ、如何なるタイミングで音声検知を終了させるかを決めておく。
【００５１】
ジョブの実行中はジョブの進行状況を監視し（＃５０２）、対象設定期間の開始タイミングが到来すると（＃５０３でＹＥＳ）、音声検知開始を指令する（＃５０４）。このとき、音声検知モードを通知する。また、対象設定期間の終了タイミングが到来すると（＃５０７でＹＥＳ）、音声検知終了を指令する（＃５０８）。
【００５２】
そして、音声検知部６０から対象音声を検知した旨の検知結果が通知されると（＃５０５でＹＥＳ）、ジョブの実行を停止させる。検知結果が通知されない場合は（＃５０５でＮＯ）、ジョブを実行を停止させることなく進行の監視を続ける（＃５０２）。
【００５３】
他方、音声検知部６０では、図５に示すように処理が行われる。
【００５４】
音声検知部６０は、音声検知開始が指令されるのを待つ（＃６０１）。音声検知開始が指令されると（＃６０１でＹＥＳ）、指令とともに通知される音声検知モードに応じて、マイクロフォン２２からの入力を受け付ける音声の音量を設定する（＃６０２）。すなわち、入力感度を高くしたり低くしたりする。入力感度を高くすると、大きな音声も小さな音声も認識することになり、入力感度を低くすると、大きな音声のみを認識し、小さな音声は認識しないことになる。
【００５５】
続いて、直ちに音声認識を開始する（＃６０３）。音声をテキスト化するとともに、必要に応じて音声のトーンを判別する。
【００５６】
認識した音声が対象音声であれば（＃６０４でＹＥＳ）、その音声が音声検知モードに対応する検知条件に合致する（条件を満たす）か否かをチェックする（＃６０５）。検知条件に合致する場合に（＃６０５でＹＥＳ）、対象音声を検知した旨をジョブ制御部６０に通知する（＃６０６）。音声検知終了が指令されるまで音声検知を行う（＃６０７でＮＯ）。
【００５７】
ジョブの種類によってはジョブの実行中に音声検知開始が複数回指令される場合がある。その場合には、音声検知部６０は、音声検知開始が指令されるごとに音声検知終了が指令されるまで音声検知を行う。
【００５８】
図６には期間テーブル８０のデータの例が、図７には条件テーブル８２のデータの例が、図８にはワードテーブル８４のデータおよびその更新の例が、それぞれ示されている。
【００５９】
図６に示す期間テーブル８０において、ジョブの種類は、「スキャン」、「ファックス送信」、「コピー」、「グループコピー」、および「ソートコピー」である。これらの種類ごとに、ジョブが複数の進行段階に区分され、さらに各進行段階が設定期間であるか否かが音声検知モード別に定められている。
【００６０】
音声検知モードとして、「する／しないモード」、「レベル変更Ａモード」、および「レベル変更Ｂモード」が設けられている。ユーザは、画像処理装置１に対して適宜に行うの動作設定に際して、これらのモードを択一的に選択することができる。
【００６１】
する／しないモードは、音声検知部６０による音声検知を「する（行う）」か「しない（行わない）」かを各進行段階に対して定めるモードである。「する」と定められた進行段階は設定期間となり、「しない」と定められた進行段階は設定期間以外となる。する／しないモードにおける設定期間では、進行段階の区別にかかわらず一律に決められた検知条件に従う音声検知が行われる。
【００６２】
レベル変更Ａモードは、図７に示す高・中・低の複数の検知レベル（感度区分）８２０のいずれかを各進行段階に対して定めるモードである。対象音声が発せられたとの検知結果が最も得られやすい最上位の検知レベル８２０が「高」であり、次に得られやすい検知レベル８２０が「中」であり、最も得られにくい最下位の検知レベル８２０が「低」である。
【００６３】
検知レベル８２０がいずれであっても音声検知を行うので、レベル変更Ａモードの場合は、全ての進行段階が設定期間となる。ただし、対象音声が発せられたとの検知結果の得られやすさは、対応する検知レベルによって異なる。
【００６４】
レベル変更Ｂモードは、高・中・低の複数の検知レベル８２０のいずれか、または音声検知を「しない」を各進行段階に対して定めるモードである。いずれかの検知レベル８２０が定められた進行段階は設定期間となり、「しない」と定められた進行段階は設定期間以外となる。
【００６５】
図７に示すように、条件テーブル８２において、各検知レベル８２０に対して検知条件８２１が対応づけられている。
【００６６】
検知条件８２１は、音量条件８２２、トーン条件８２３、繰返し条件８２４、および音声指定条件（対象音声）８２５を含んでいる。
【００６７】
音量条件８２２は、音声の音量を限定するものであり、この条件に従って音声検知部５０において入力音量が設定される。大音量に限定することにより遠くの声を認識するなどの無駄を低減することができ、小音量を含むよう音量範囲を拡げることにより認識漏れを低減することができる。
【００６８】
トーン条件８２３は、音声のトーンを限定するものであり、繰返し条件８２４は、例えば「とまれ＿とまれ」のように同じ言葉が繰り返された（反復された）ことを要件とするか否かを指定するものである。音声検知部５０において対象音声が検知されたとき、トーン条件８２３および繰返し条件８２４に合致するか否かがチェックされる。
【００６９】
音声指定条件８２５は、発せられたことを検知するべき対象音声である。図７の例においては、音声指定条件８２５として対象音声のグループが示されている。各グループに属する対象音声は、ワードテーブル８４により示される（図８参照）。
【００７０】
画像処理装置１においては、複数の対象音声が検知レベル８２０の個数と同数の３つグループにクループ分けされている。３つグループは、「正規操作ワード」、「想定ワード」、および「その他」である。
【００７１】
そして、条件テーブル８２において、複数の検知レベル８２０のうち最上位の検知レベル８２０（高）には、音声指定条件８２５として全てのグループが対応づけられ、第２位以下の検知レベル８２０（中または低）には下位になるほど対応するグループの個数が少なくなるよう１以上のグループが音声指定条件８２５として対応づけられている。
【００７２】
すなわち、最上位の検知レベル８２０（高）には、正規操作ワード、想定ワード、およびその他が、第２位の検知レベル８２０（中）には、正規操作ワードと想定ワードとが、最下位の検知レベル８２０（低）には、正規操作ワードのみが、それぞれ対応づけれている。
【００７３】
上位の検知レベル８２０に対応する対象音声の個数は下位の検知レベル８２０に対応する対象音声の個数よりも多いので、音声指定条件８２５以外の条件８２２〜８２４を加味しないとすれば、検知レベル８２０が上位であるほど、対象音声が検知されたとの検知結果が得られやすい。
【００７４】
正規操作ワードとは、ユーザが音声により停止を指示するための標準の言葉である。図８（Ａ）に示すように、ワードテーブル８４において、正規操作ワードとして「ストップ」、「とまれ」、および「ていし」などが登録されている。これらのうち「ストップ」および「とまれ」は、画像処理装置１の工場出荷段階で登録されており、登録属性が「デフォルト」とされている。「ていし」は、ユーザがユーザ設定機能を用いて追加登録したものであり、登録属性が「ユーザ設定」とされている。
【００７５】
想定ワードとは、正規操作ワード以外であって、ユーザがジョブの進行を停止させたいと思ったときに発すると想定される言葉である。主に「しまった」、「やばい」、「ちがう」、「まちがった」などの現状を否定するネガティブワードが想定ワードとされる。
【００７６】
その他とは、正規操作ワードでもなく想定ワードでもない言葉である。とっさに発すると考えられる「あっ」、「うわっ」といった感嘆詞、正規操作ワードまたは想定ワードと同じ意味の方言など、種々の言葉をその他の対象音声として登録しておくことができる。
【００７７】
対象音声の登録に関して、画像処理装置１は、ワードテーブル８４の内容を自動的に更新する学習記憶部９０を有している。詳しくは、学習記憶部９０は、対象音声が発せられたことが検知されてジョブの実行が停止した後に当該ジョブの削除が指示されて実行が取り消された場合に、当該対象音声が条件テーブル８２において現在よりも上位の検知レベル８２０に対応づけられるよう、対象音声のクループ分けを修正する機能である。
【００７８】
図８（Ａ）に示すワードテーブル８４は、学習記憶部９０による修正が行われる以前の状態であり、図８（Ｂ）に示すワードテーブル８４ｂは、学習記憶部９０による修正が行われた後の状態である。
【００７９】
図８（Ａ）の状態において、対象音声の「まずい」、「あっ」、および「うわっ」は、いずれもグループ「その他」に属している。したがって、検知レベル８２０が「高」の対象設定期間に発せられた場合にのみ（図７参照）、発せられたことが検知される。
【００８０】
これに対して、図８（Ｂ）の状態においては、「まずい」、「あっ」、および「うわっ」は、いずれもグループ「想定ワード」に属している。登録属性は「デフォルト」から学習記憶機能による登録を意味する「学習」に変更されている。想定ワードであれば、検知レベル８２０が「高」またが「中」の対象設定期間に発せられた場合に（図７参照）、発せられたことが検知される。
【００８１】
なお、学習記憶部９０は、想定ワードのうちのある対象音声が発せられて停止したジョブの実行がその後に取り消されたという状況の発生を記録し、同じ状況が所定回数生じた場合に、当該対象音声を正規操作ワードに昇格させる付加機能を有してよい。
【００８２】
図６に戻って、スキャンは、原稿５から画像を読み取って得られた画像データを送信するジョブである。ユーザによるジョブの設定に際して、送信先として外部の装置または画像処理装置１内のボックスなどが指定される。
【００８３】
ファックス送信は、原稿５から画像を読み取って得られた画像データをファクシミリ通信の規定に適合する形式に変換して送信するジョブである。
【００８４】
スキャンおよびファックス送信では、自動原稿送り装置１２を用いてもよいし自動原稿送り装置１２を用いずにスキャナ１３のプラテンガラスに原稿５をセットしてもよい。原稿５が複数枚である場合に自動原稿送り装置１２を用いると、複数枚の読取りと複数枚分の画像データの送信とが１つのジョブとなる。自動原稿送り装置１２を用いない場合は、１枚の読取りと１枚分の画像データの送信とが１つのジョブとなるので、原稿枚数と同数のジョブを実行させることになる。
【００８５】
コピーは、１枚の原稿５から画像を読み取って得られた画像データに基づいて、用紙に画像を印刷するジョブである。ユーザがコピー枚数を２以上に設定すると、複数枚の用紙のそれぞれに同じ画像が印刷されて複数枚の複製が得られる。
【００８６】
グループコピーは、自動原稿送り装置１２を用いて複数枚の原稿５から画像を連続的に読み取り、得られた画像データに基づいて複数の画像のそれぞれを複数枚ずつ印刷するマルチコピーの一種である。グループコピーでは、複数の画像のそれぞれを読取り順に複数枚ずつ印刷する。
【００８７】
ソートコピーもマルチコピーの一種である。ソートコピーでは、複数の画像のそれぞれを読取り順に１枚ずつ印刷する動作を繰り返して複数部の複製を作成する。
【００８８】
これらの種類のジョブのうちスキャンおよびファックス送信については、進行段階は、読取り初期、読取り中（初期以外）、送信初期、および送信中（初期以外）とされている。
【００８９】
読取り初期とは、ジョブの実行を開始して間もない期間である。例えば自動原稿送り装置１２が原稿５の搬送を開始してから１枚目または２枚目の搬送を終えるまでの期間とされる。それよりも短い期間としてもよいし、長い期間としてもよい。なお、流し読み方式では、原稿５を搬送しながら読取りが行われるので、原稿５の搬送が行われる期間と読取りが行われる期間とが重複する。
【００９０】
読取り中とは、読取り初期に続く期間であって、最終の原稿５からの読取りが終わるまでの期間である。
【００９１】
送信初期とは、読取り中に続く期間であって、通信回線への送信データの送り出しを開始するまでの期間である。送信初期は、送信データの準備および送信先との接続を行う期間を含む。
【００９２】
送信中とは、送信初期に続く期間であって、ジョブの実行が終了するまでの期間である。
【００９３】
スキャンおよびファックス送信において、ユーザは、自動原稿送り装置１２が原稿トレイ１２Ａから次々と原稿５を取り出す間に、例えば送信するつもりでなかったシートが混ざっていたこと、向きまたは表裏が正しくないことに気づくことがある。
【００９４】
そこで、少なくとも読取り初期および読取り中は、設定期間に定めれられている。すなわち、音声検知モードがする／しないの場合には、する（音声検知を行う）と定められ、レベル変更Ａまたはレベル変更Ｂの場合には、検知レベル８２０として高または低が定められている。
【００９５】
これに対して、送信中は、ジョブの開始から原稿枚数に応じた読取り時間が経過した後であるので、ユーザは自己の操作に誤りはないと判断してジョブの終了を待っており、動作を停止したいと思うことは少ないと考えられる。そこで、送信中は、設定期間以外または検知レベル８２０が低の設定期間に定めれられている。
【００９６】
コピーについては、進行段階は、読取り初期、読取り中（初期以外）、印刷初期、および印刷中（初期以外）とされている。
【００９７】
読取り初期および読取り中は、スキャンおよびファックス送信における読取り初期および読取り中とそれぞれ同様の期間である。
【００９８】
印刷初期とは、印刷動作の初期段階であって、例えば印刷の開始から１枚目の用紙が排出されて所定時間が経過するまでの期間である。
【００９９】
印刷中とは、印刷初期に続く期間であって、ジョブの実行が終了するまでの期間である。
【０１００】
コピーにおいて、ユーザは、スキャンおよびファックス送信の場合と同様に、自動原稿送り装置１２が次々と原稿５を搬送する間に、原稿５の誤りに気づくことがある。また、原稿５に誤りはないが、例えばサイズの異なる原稿５が混在する場合において、用紙サイズ指定でなく自動用紙選択（ＡＰＳ）／自動倍率選択（ＡＭＳ）を指定するべきだったことに気付くことがある。
【０１０１】
さらに、印刷が開始された後、排出された１枚目の用紙の印刷結果から、倍率、用紙サイズ、カラー設定、濃度、ページ割り付けなどの印刷条件の指定の誤りがあったことに気付くことがある。
【０１０２】
そこで、読取り初期、読取り中、および印刷初期は、設定期間に定めれられている。印刷中は、無用の動作停止を防ぐために、設定期間以外または検知レベル８２０が低の設定期間に定めれられている。
【０１０３】
グループコピーについては、進行段階は、読取り初期、読取り中（初期以外）、印刷初期、印刷中Ａ、印刷中Ｂ、および印刷中Ｃとされている。
【０１０４】
読取り初期、読取り中、および印刷初期は、コピーにおける読取り初期、読取り中、および印刷初期とそれぞれ同様の期間である。
【０１０５】
印刷中Ａとは、１ページ目（１枚目の原稿５）の印刷における印刷初期以外の期間である。
【０１０６】
印刷中Ｂとは、２ページ目以降（２枚目以降の原稿５）の各ページの印刷における初期段階である。
【０１０７】
印刷中Ｃとは、２ページ目以降（２枚目以降の原稿５）の各ページの印刷における初期段階以外の期間である。
【０１０８】
グループコピーにおいて、ユーザは、各ページの印刷の初期段階に、１つ前のページの印刷結果からカラーモードなどの印刷条件の指定の誤りがあったことに気付くことがある。特に、１ページ目の印刷枚数が分かる２ページ目の印刷の初期段階に、コピー枚数の指定の誤りがあったことに気付くことがある。
【０１０９】
この事情および上に述べた原稿５の誤りまたは印刷条件の指定の誤りなどに気づく状況などを考慮して、グループコピーについて図示の通り設定期間または検知レベル８２０が定められている。
【０１１０】
ソートコピーについては、進行段階は、読取り初期、読取り中（初期以外）、印刷初期、印刷中Ｄ、印刷中Ｅ、印刷中Ｆ、印刷中Ｇ、および印刷中Ｈとされている。
【０１１１】
読取り初期、読取り中、および印刷初期は、コピーにおける読取り初期、読取り中、および印刷初期とそれぞれ同様の期間である。
【０１１２】
印刷中Ｄとは、１部目の印刷の初期段階以外の期間である。印刷中Ｅとは、１部目の印刷の完了直後（完了から所定時間が経過するまでの期間）、すなわち２部目の印刷の初期段階である。
【０１１３】
印刷中Ｆとは、２部目の印刷の初期段階以外の期間である。印刷中Ｇとは、２部目以降かつ最終部以外の各部の印刷の完了直後である。印刷中Ｈとは、３部目以降の各部の印刷の初期段階以外の期間である。
【０１１４】
ソートコピーにおいて、ユーザは、１部目の用紙束が排出されたときに、ステープル止めまたはパンチ穿孔などの仕上げモードの指定の誤りがあったことに気付くことがある。また、所望の部数の印刷が終わってさらに次の部の印刷が始まったときに、部数の指定が所望値よりも多かったことに気づくことがある。部数の指定を忘れて前のジョブの指定が適用されてしまうことはしばしばある。
【０１１５】
これらの事情および上に述べた原稿５の誤りまたは印刷条件の指定の誤りなどに気づく状況などを考慮して、ソートコピーについて図示の通り設定期間または検知レベル８２０が定められている。
【０１１６】
図９にはソートコピーにおける対象設定期間Ｔｔが、図１０にはマルチ動作において対象音声の検知をジョブの実行の停止に反映させる態様の例が、それぞれ示されている。
【０１１７】
図９は、図６に示した期間テーブル８０におけるソートコピーについて定められた設定期間をタイミングチャートの形式で示すものである。図９では、４部の複製を作成する場合が例示されている。
【０１１８】
ジョブの実行期間ＴＪは、複数枚の原稿５から画像を読み取る原稿読取り期間と各部の印刷期間とに分かれる。ソートコピーの進行段階のうちの読取り初期および読取り中は、読取り期間に含まれる。印刷初期および印刷中Ｄ〜Ｈのそれぞれは、各部の印刷期間のいずれかに含まれる。
【０１１９】
図９の例では、音声検知モードにかかわらず、ジョブの実行に際して、４つの対象設定期間Ｔｔ（Ｔｔ１，Ｔｔ２，Ｔｔ３，Ｔｔ４）が設けられる。これらの対象設定期間Ｔｔ１〜Ｔｔ４のいずれかにおいて対象音声が検知されると、ジョブの実行は停止する。
【０１２０】
次に、図１０を参照してマルチ動作における音声操作機能の態様について述べる。
【０１２１】
図１０の例では、ジョブＡとジョブＢとが並行して実行される。ジョブＡの種類は例えばグループコピーであり、ジョブＢの種類は例えばコピーである。なお、並行して実行する複数のジョブの間で種類が異なる必要はなく、同じ種類のジョブを並行して実行する場合もある。
【０１２２】
図１０の例では、先にジョブＡの実行が開始され、ジョブＡの原稿読取り動作が終わるころからユーザによりジョブＢの入力操作が行われ、ジョブＡの印刷動作と並行してジョブＢの原稿読取り動作が行われる。その後、ジョブＡの最終ページの印刷が終わると（このときジョブＡが実行が終了する）、ジョブＢの印刷動作が始まる。
【０１２３】
ジョブＡの実行期間ＴＪ１には、期間テーブル８０に基づいて４つの対象設定期間Ｔｔ５，Ｔｔ６，Ｔｔ７，Ｔｔ８が設けられ、ジョブＢの実行期間ＴＪ２には、同じく期間テーブル８０に基づいて２つの対象設定期間Ｔｔ９，Ｔｔ１０が設けられる。ジョブＢの対象設定期間Ｔｔ９，Ｔｔ１０のうち、対象設定期間Ｔｔ９の一部がジョブＡの対象設定期間Ｔｔ７と重複する。
【０１２４】
マルチ動作におけるジョブの実行の停止には、２つのモード（停止モードＸおよび停止モードＹ）がある。
【０１２５】
停止モードＸは、いずれかの対象設定期間Ｔｔにおいて対象音声が検知されたときに、当該対象設定期間Ｔｔが設けられたジョブのみについてその実行を停止し、他のジョブの実行を継続するモードである。停止モードＸによると、無用に実行を停止するジョブを少なくして生産性の低下を抑えることができる。
【０１２６】
なお、対象音声を発したユーザを識別して識別したユーザが入力したジョブのみの実行を停止するようにしておくことにより、他のジョブとの間で対象設定期間Ｔｔが重複する場合であっても他のジョブの実行を停止せずに済む。
【０１２７】
停止モードＹは、いずれかの対象設定期間Ｔｔにおいて対象音声が検知されたときに、全てのジョブの実行を停止するモードである。停止モードＹによると、対象音声を発したユーザを識別する高度の音声検知が不要となるので、音声認識部２１などにおける処理の負担を低減することができる。
【０１２８】
図１０に示す通り、停止モードＸが選択された場合には、ジョブＡの実行は、対象設定期間Ｔｔ５〜Ｔｔ８のいずれかにおいて対象音声が検知されたときに停止する。ジョブＢの実行は、対象設定期間Ｔｔ９，Ｔｔ１０のいずれかにおいて対象音声が検知されたときに停止する。
【０１２９】
他方、停止モードＹが選択された場合には、ジョブＡの実行は、対象設定期間Ｔｔ５〜Ｔｔ８および図中に斜線を付した期間Ｔａ，Ｔｂのいずれかにおいて対象音声が検知されたときに停止する。期間Ｔａ，Ｔｂは、ジョブＢの対象設定期間Ｔｔ９のうちの対象設定期間Ｔｔ７と重複しない期間である。また、ジョブＢの実行は、対象設定期間Ｔｔ９，Ｔｔ１０および図中に斜線を付した期間Ｔｃのいずれかにおいて対象音声が検知されたときに停止する。期間Ｔｃは、ジョブＡの対象設定期間Ｔｔ８である。
【０１３０】
図１１には音声操作機能に関わる要部の機能的構成の第２例が、図１２にはジョブ制御部５０ｂにおける停止制御の処理の流れが、図１３には音声検知部における処理の流れが、それぞれ示されている。また、図１４には期間テーブル８０ｂのデータの例が示されている。図１１において、図３の要素の変形例に相当する要素にはアルファベットの「ｂ」を添えた同一の符合を付し、これらの要素の説明を簡略化する。
【０１３１】
図１１において、画像処理装置１ｂは、ジョブ制御部５０ｂ、音声検知部６０ｂ、期間テーブル８０ｂ、およびワードテーブル８４ｂを有する。
【０１３２】
ジョブ制御部５０ｂは、入力されたジョブの実行を制御する。すなわち、実行するジョブに応じて動作部７０に動作指令を与える。加えて、ジョブ制御部５０ｂは、音声検知部６０ｂと連携して音声操作機能を実現する。そのジョブ制御部５０ｂと音声検知部６０ｂとの連携の態様が上に述べた図３の例と相違する。
【０１３３】
図３の例では、対象設定期間Ｔｔにのみ音声検知を行うようジョブ制御部５０が音声検知部６０を制御する。これとは違って、図１１の例では、音声検知部６０ｂは、ジョブの実行中にわたって音声検知を行う。ジョブ制御部５０ｂは、対象音声を検知した旨の検知結果が通知されたときに、期間テーブル８０ｂに基づいて、対象音声が対象設定期間Ｔｔに検知されたか否かを判定する。そして、対象設定期間Ｔｔに検知されたと判定した場合に直ちにジョブの実行を停止させる。
【０１３４】
期間テーブル８０ｂは、図１４のように、予めジョブの種類別に定められた設定期間を示す。ジョブの種類および各ジョブの進行段階の区分は、図６の期間テーブル８０と同様である。期間テーブル８０ｂでは、音声検知の結果に応じた停止制御を「する（行う）」か「しない（行わない）」かを定めることにより、各進行段階を設定期間または設定期間以外に定めている。
【０１３５】
音声検知部６０ｂの音声認識部２１ｂは、マイクロフォン２２から入力される予め決まった音量範囲の音声をテキスト化する。
【０１３６】
照合部２３ｂは、音声認識部２１からのテキストとワードテーブル８４ｂに登録されている複数の対象音声とを照合し、いずれかの対象音声と一致する場合に、対象音声を検知した旨の検知結果をジョブ制御部５０ｂに通知する。
【０１３７】
ワードテーブル８４ｂは、図８の例とは違って、対象音声のグループ分けをしないものでよい。ただし、グループ分けをしたものでもよい。グループ分けをしたものを用いる場合は、一致した対象音声が属するグループの識別子を検知結果に含めることができる。
【０１３８】
図１２に示すように、ジョブ制御部５０ｂは、ジョブの実行に先立って期間テーブル８０ｂを参照し、種類別の設定期間のうちの実行の対象である当該ジョブの種類に対して定められている設定期間である対象設定期間を把握する（＃５１１）。
【０１３９】
ジョブの実行中に音声検知部６０から対象音声を検知した旨の検知結果が通知されると（＃５１２でＹＥＳ）、ジョブの進行状況をチェックし（＃５１３）、現在の進行段階が対象設定期間であるか否かを判定する（＃５１４）。
【０１４０】
そして、対象設定期間であると判定した場合に（＃５１４でＹＥＳ）、ジョブの実行を停止させる。対象設定期間ではないと判定した場合には（＃５１４でＮＯ）、ジョブを実行を停止させることなく、対象音声の検知結果が通知されるのを待つ（＃５１２）。
【０１４１】
図１３に示すように、音声検知部６０ｂは、ジョブが実行中であるときに（＃６１１でＹＥＳ）、音声認識を行う（＃６１２）。そして、認識した音声が対象音声であるか否かをチェックし（＃６１３）、対象音声である場合に（＃６１３でＹＥＳ）、対象音声を検知した旨を通知する（＃６１４）。
【０１４２】
図１５には画像処理装置１における処理の流れが、図１６には学習記憶処理の流れが、図１７には再開処理の流れ、それぞれ示されている。
【０１４３】
図１５に示すように、ジョブの実行を開始した後（図１０１でＹＥＳ）、対象設定期間Ｔｔにおいて対象音声を検知したか否かをチェックする（＃１０２、＃１０３）。対象音声を検知しないままジョブが終了すると（＃１０８でＹＥＳ）、図１５の処理を終える。
【０１４４】
対象設定期間Ｔｔに対象音声を検知した場合は（＃１０３でＹＥＳ）、ジョブの実行を停止して待機する（＃１０４）。
【０１４５】
待機中にジョブの削除を指示する入力操作が行われると（＃１０５でＹＥＳ）、指示に従ってジョブを削除し（＃１０６）、学習記憶処理を実行する（＃１０９）。
【０１４６】
待機中においてジョブの削除を指示する入力操作が行われない間は（＃１０５でＮＯ）、再開の指示を受け付ける再開処理を行う（＃１０９）。
【０１４７】
図１６に示すように、学習記憶処理においては、検知した対象音声のグループが「その他」であった場合に（＃２０１でＹＥＳ））、その対象音声を「想定ワード」にグループ分けするようワードテーブル８４を更新する（＃２０２）。
【０１４８】
図１７に示すように、再開処理では、検知した対象音声の属するグループに応じて待機時間を第１の時間（長め）または第２の時間（短め）に設定する（＃３０１）。
【０１４９】
ジョブの再開を指示する入力操作が行われると（＃３０２でＹＥＳ）、指示に従ってジョブの実行を再開する（＃３０３）。指示は、例えばタッチパネルディスプレイ１１Ａに表示される再開ボタンをタッチすることにより入力される。音声による指示の入力を受け付けるようにしてもよい。
【０１５０】
再開の指示がないときは（＃３０２でＮＯ）、待機時間が経過していなければ（＃３０５でＮＯ）。図１５のフローへリターンする。この場合は待機を継続することになる（＃３０４）。
【０１５１】
待機時間が経過すると（＃３０５でＹＥＳ）、他のジョブの入力操作中であるか否かをチェックする（＃３０６）。入力操作中でなければ（＃３０６でＮＯ）、ジョブの実行を再開する（＃３０３）。
【０１５２】
他のジョブの入力操作中であれば（＃３０６でＹＥＳ）、図１５のフローへリターンする。この場合は入力操作が終わるの待ってジョブの実行を再開することになる。
【０１５３】
入力操作が終わるのを待つのは、再開を指示したユーザが、他のユーザによる操作の邪魔をしたくないと思うことを想定した配慮である。
【０１５４】
図１８にはソートコピーにおける画像処理装置１の処理の流れが示されている。図６および図９も参照して、原稿読取りを開始し（＃７０１）、原稿読取りが終了するまで音声検知を行う（＃７０２、＃７０３でＮＯ）。印刷を行っている間において（＃７０４でＹＥＳ）、印刷の進行状況を確認する（＃７０５）。
【０１５５】
各部の印刷初期、すなわち１または２ページ目を印刷しているときには（＃７０６でＹＥＳ、＃７０９でＮＯ）、音声検知を行う（＃７０７）。印刷初期でなければ（＃７０６でＮＯ）、音声検知を行わない（＃７０８）。
【０１５６】
以上の実施形態によると、音声検知による停止制御をジョブの種類に応じて定めた期間に限定して行うので、ジョブの実行の無用の停止を低減するとともにユーザが音声により動作を停止させることができない状況を起こりにくくすることができる。
【０１５７】
上に述べた実施形態において、画像処理装置１に設ける音声検知手段は、ユーザの発した音声を検知するものであればよく、マイクロフォン２２に限らない。例えばユーザが携帯するスマートフォンまたはワイヤレスマイクロフォンなどからの音声信号を受信する手段であってもよい。また、ユーザがパーソナルコンピュータなどから画像処理装置１を遠隔で操作する場合などにおいて、当該パーソナルコンピュータに備えつけられたマイクロフォンに入力された音声信号を受信する手段であってもよい。
【０１５８】
予め複数のユーザのそれぞれの音声を登録しておき、ジョブを入力したユーザが対象音声を発したときに当該ジョブの実行を停止するようにしてもよい。つまり、音声により停止を指示する権限を実行中のジョブを入力したユーザのみに与えることができる。画像処理装置１の管理者にはジョブを入力したユーザではなくても音声により停止を指示する権限を与えてもよい。
【０１５９】
その他、画像処理装置１の全体または各部の構成、処理の内容、順序、またはタイミング、検知レベルの区分、各テーブル８０，８０ｂ，８２，８２ｂ，８４，８４ｂの内容などは、本発明の趣旨に沿って適宜変更することができる。
【符号の説明】
【０１６０】
１  画像処理装置
５  原稿（シート）
２２  マイクロフォン（音声検知手段）
５０  ジョブ制御部（制御部）
６０  音声検知部（検知部）
８０，８０ｂ  期間テーブル（テーブル）
８２  条件テーブル（サブテーブル）
９０  学習記憶部
８２０  検知レベル
８２５  音声指定条件
Ｔｔ，Ｔｔ１〜Ｔｔ９  対象設定期間
【図１】
2019083497.tif 000003
【図２】
2019083497.tif 000004
【図３】
2019083497.tif 000005
【図４】
2019083497.tif 000006
【図５】
2019083497.tif 000007
【図６】
2019083497.tif 000008
【図７】
2019083497.tif 000009
【図８】
2019083497.tif 000010
【図９】
2019083497.tif 000011
【図１０】
2019083497.tif 000012
【図１１】
2019083497.tif 000013
【図１２】
2019083497.tif 000014
【図１３】
2019083497.tif 000015
【図１４】
2019083497.tif 000016
【図１５】
2019083497.tif 000017
【図１６】
2019083497.tif 000018
【図１７】
2019083497.tif 000019
【図１８】
2019083497.tif 000020